(57)【要約】【課題】血流を遮断することなく細動脈内の塞栓物質を切除し、これを確実に捕捉できる塞栓物質切除捕捉装置を提供する。【解決手段】先端と基端とを有し先端が管腔の遠位端へ送り出される長尺なシャフト部材１と、そのシャフト部材１の先端側に設けられるとともにシャフト部材１に先端側と基端側で結束部５２、５３により固定され、装置搬送用のカテーテル内では線状に収縮し、このカテーテルから管腔内へ放出されると拡張するフィルタ部材５と、シャフト部材１のフィルタ部材５より基端側に設けられるとともにシャフト部材１に先端側と基端側で連結部７２、７３により固定され、カテーテル内では線状に収縮し、このカテーテルから管腔内へ放出されると螺旋形に拡張するコイル部材７とを備え、フィルタ部材５の結束部５２と５３の間、及びコイル部材７の連結部７２と７３間には、シャフト部材１が介在しないようにする。【選択図】図１
0003147362.tif 000002
【実用新案登録請求の範囲】
【請求項１】
生体の管腔における塞栓物質を除去するための装置であって、
先端と基端とを有し、前記先端が前記管腔の遠位端へ送り出される長尺なシャフト部材と、
該シャフト部材の先端側に設けられるとともに、前記シャフト部材に先端側と基端側で結束部により固定され、装置搬送用のカテーテル内では線状に収縮し、該カテーテルから管腔内へ放出されると拡張するフィルタ部材と、
前記シャフト部材の、前記フィルタ部材より基端側に設けられるとともに、前記シャフト部材に先端側と基端側で連結部により固定され、前記カテーテル内では線状に収縮し、該カテーテルから管腔内へ放出されると螺旋形に拡張するコイル部材と、を備え、
前記フィルタ部材の結束部間、及び前記コイル部材の連結部間には、前記シャフト部材が介在しないことを特徴とする塞栓物質切除捕捉装置。
【請求項２】
前記フィルタ部材が、弾性または形状記憶性を有する金属ワイヤを編み込んだメッシュから略楕円体に形成され、
前記拡張の際には、前記先端側結束部と基端側結束部が前記シャフト部材の軸方向に接近し、前記略楕円体が基端側に向かって凹型に折り返されることを特徴とする請求項１に記載の塞栓物質切除捕捉装置。
【請求項３】
前記フィルタ部材が、弾性または形状記憶性を有する金属ワイヤを編み込んだメッシュからなる、前記シャフト部材の基端側に向かって凹型の略半楕円体形状のフィルタ本体と、該フィルタ本体の基端側を前記シャフト部材に支持するための支持ワイヤと、から構成されることを特徴とする請求項１に記載の塞栓物質切除捕捉装置。
【請求項４】
前記フィルタ部材の先端側結束部と基端側結束部間に、前記フィルタ部材の変形に追従して変形するトルク伝達部材を備えることを特徴とする請求項２または３に記載の塞栓物質切除捕捉装置。
【請求項５】
前記コイル部材が、弾性または形状記憶性を有する１乃至５本の金属ワイヤから構成されることを特徴とする請求項１に記載の塞栓物質切除捕捉装置。
【請求項６】
前記コイル部材の先端側連結部と基端側連結部間に、前記コイル部材の変形に追従して変形するトルク伝達部材を備えることを特徴とする請求項１に記載の塞栓物質切除捕捉装置。
【請求項７】
前記塞栓物質切除装置に、ヘパリンコーティングまたは親水性コーティングが施されていることを特徴とする請求項１乃至４の何れか一項に記載の塞栓物質切除捕捉装置。
【考案の詳細な説明】
【技術分野】
【０００１】
本考案は、生体の管腔における血栓等の塞栓物質を切除し捕捉するための塞栓物質切除捕捉装置に関する。
【背景技術】
【０００２】
脳梗塞は、脳の動脈に塞栓物質（血栓のほか、脂肪塞栓、腫瘍塞栓等）が入り込み動脈を狭窄させて血流を遮断し、脳虚血を引き起こした際に生じる疾患である。脳への血流が塞栓物質により遮断されると、脳細胞は酸素と栄養の補給を絶たれ、短時間のうちに壊死へ向かう。このため、脳梗塞の発症初期の段階においては、正常な血流を迅速に確保することが重要である。早期に正常な血流が確保されなければ、脳組織が壊死によりその部位の機能を失い、患者の生命も脅かされる危険性が高くなる。
【０００３】
脳梗塞の治療は一般的に、発症後三〜六時間以内の早期であれば、静動脈または閉鎖動脈へ直接薬剤を注入して塞栓物質を溶解または移動させ血管を再開通させる脳塞栓物質溶解療法が用いられる。しかし、この脳塞栓物質溶解療法は塞栓物質を完全に溶解できない可能性も有している。また、移動させた塞栓物質が病変部の末梢側に流れて再度血流を遮断し、重篤な合併症を引き起こすこともあり得る。
【０００４】
そこで、近年では血管内治療の進歩により、外科的に血流を確保する方法や塞栓物質を除去する方法が実施されるようになった。例えば、バルーン付きのマイクロカテーテルで血管を拡張する血管拡張術や、ステントと呼ばれる網状の筒をバルーンにかぶせ、バルーンを膨らませて血管にステントを固定し、バルーンの除去後もステントを留置して血管壁を内側から支え狭窄を防ぐステント留置術等がある。
【０００５】
また、血管の狭窄部に直接ワイヤを通し、このワイヤに設けられたバスケットやフィルタ等で塞栓物質を捕捉する装置がこれまでに開発されている（例えば特許文献１参照）。
【特許文献１】特開２００４−０９７８０７号公報
【考案の開示】
【考案が解決しようとする課題】
【０００６】
しかしながら、上記のような従来の血管拡張術やステント留置術では、血管を拡張することにより血流が確保されても、術中に遊離した塞栓物質が病変部の抹消側で再度血流を遮断する恐れがあった。また、これらの方法はバルーン等により一時的に血流を遮断して処置を行う必要があり、時間が経過するほど患者に与える影響は大きくなるという問題があった。
【０００７】
一方、従来のバスケットやフィルタを用いて塞栓物質を捕捉する方法は、血流を遮断することなく実施できるが、積極的に塞栓物質を切除する機能は有していない。
【０００８】
本考案は、上記従来の問題点に鑑みて、血流を遮断することなく細動脈内の塞栓物質を切除し、さらにこれを確実に捕捉できる塞栓物質切除捕捉装置を提供することを目的とする。
【課題を解決するための手段】
【０００９】
上記課題を解決するために、本考案は、生体の管腔における塞栓物質を除去するための装置であって、先端と基端とを有し、前記先端が前記管腔の遠位端へ送り出される長尺なシャフト部材と、そのシャフト部材の先端側に設けられるとともに、前記シャフト部材に先端側と基端側で結束部により固定され、装置搬送用のカテーテル内では線状に収縮し、このカテーテルから管腔内へ放出されると拡張するフィルタ部材と、前記シャフト部材の、前記フィルタ部材より基端側に設けられるとともに、前記シャフト部材に先端側と基端側で連結部により固定され、前記カテーテル内では線状に収縮し、このカテーテルから管腔内へ放出されると螺旋形に拡張するコイル部材と、を備え、前記フィルタ部材の結束部間、及び前記コイル部材の連結部間には、前記シャフト部材が介在しないことを特徴とする塞栓物質切除捕捉装置を提供する。
【００１０】
ここで、好適には、前記フィルタ部材は、弾性または形状記憶性を有する金属ワイヤを編み込んだメッシュから略楕円体に形成され、前記拡張の際には、前記先端側結束部と基端側結束部が前記シャフト部材の軸方向に接近し、前記略楕円体が基端側に向かって凹型に折り返されるようにする。
【００１１】
あるいは、前記フィルタ部材は、弾性または形状記憶性を有する金属ワイヤを編み込んだメッシュからなる、前記シャフト部材の基端側に向かって凹型の略半楕円体形状のフィルタ本体と、そのフィルタ本体の基端側を前記シャフト部材に支持するための支持ワイヤと、から構成されるようにする。
【００１２】
さらに、前記フィルタ部材の先端側結束部と基端側結束部間に、前記フィルタ部材の変形に追従して変形するトルク伝達部材を備えるのが好ましい。
【００１３】
そして、好適には、前記コイル部材は、弾性または形状記憶性を有する１乃至５本の金属ワイヤから構成されるようにする。
【００１４】
また、前記コイル部材の先端側連結部と基端側連結部間には、前記コイル部材の変形に追従して変形するトルク伝達部材を備えるのが良い。
【００１５】
さらに、前記塞栓物質切除装置には、ヘパリンコーティングまたは親水性コーティングが施されているのが好ましい。
【考案の効果】
【００１６】
本考案の塞栓物質切除捕捉装置によれば、バルーン等により血流を遮断することなく、血流を確保しながら処置を行えるため、患者への影響を最低限に抑えることができる。
【００１７】
また、切除コイルとフィルタを二段構えで配置する構成としたため、塞栓物質を効率的に除去できる。特に、切除コイルの後方に配置したフィルタにより、切除コイルが取り逃した塞栓物質の遊離片をも確実に捕捉することができる。
【考案を実施するための最良の形態】
【００１８】
以下、本考案の実施の形態について、図面を参照しながら詳細に説明する。
なお、本明細書では生体の管腔において上流側（血管であれば心臓に近い側）を近位、下流側を遠位と呼ぶこととする。
【００１９】
〔第１の実施形態〕
図１は、本考案の第１の実施形態に係る塞栓物質切除捕捉装置の全体概略図である。この図に示すように、本実施形態の塞栓物質切除捕捉装置１００は、シャフト１と、このシャフト１に設けられる案内部３と、バスケットフィルタ５と、切除コイル７とから構成される。まず案内部３がシャフト１の先端（遠位端）に設けられ、次いでシャフト１の基端（近位端）側に向かって軸方向にバスケットフィルタ５、切除コイル７が順に配置されている。
【００２０】
まずシャフト１は、長尺なワイヤ（スクリューワイヤ）から構成され、後述するカテーテルに挿通される。また、基端の操作によりカテーテル内を軸方向に移動可能である。このシャフト１の素材としては、ニッケルチタン系合金やステンレス鋼等の金属が適している。
【００２１】
シャフト１の先端（遠位端）には、可撓性を有する案内部３が設けられている。この案内部３は、血管やカテーテル内で塞栓物質切除捕捉装置１００の進行を案内するため柔らかく、コイル状に巻回されたワイヤ、あるいは編み込まれたワイヤから構成されている。
【００２２】
案内部３の近位端側には、バスケットフィルタ５が配置されている。バスケットフィルタ５は、弾性または形状記憶性を有する複数の金属ワイヤ５１を編み込んだメッシュから成り、図１鎖線に示すように略楕円体に形成されている。そして弾性または形状記憶性により、自由な状態では図１実線及び破線で示すように、楕円体が略中央で折り返されたパラソル型に変形する。金属ワイヤ５１からなるメッシュは、血流を通す一方で塞栓物質は確実に捕捉することができる。
【００２３】
この複数の金属ワイヤ５１の両端は、リング状の結束部５２、５３によりそれぞれ結束され、シャフト１に固定されている。そして、結束部５２、５３の間にはシャフト１が介在しないよう、この間はシャフト１が途切れた状態となっている。そして、結束部５２、５３の間にはシャフト１に代わって、可撓性ワイヤ５４が配置されている。この可撓性ワイヤ５４は、シャフト１の基端を操作した際の回転トルクを基端側から先端側へ伝達するための部材である。この可撓性ワイヤ５４は、バスケットフィルタ５の変形に合わせてよく撓む性質を有している。
【００２４】
このように構成したため、結束部５２、５３はシャフト１の軸方向に互いに自由に位置を変えることができる。そして、バスケットフィルタ５は、各結束部５２、５３がシャフト１の軸方向において離間することにより、線状に細く収縮することが可能となる。また、各結束部５２、５３がシャフト１の軸方向において接近することにより、バスケットフィルタ５を構成するワイヤ５１が略中央で折り返され、半径方向に拡張してパラソル型に変形する。パラソル型に変形した際、基端側連結部５３は、折り返し部よりも先端側連結部５２側に位置している。このように折り返されることにより、バスケットフィルタ５は二重のフィルタとなり、より確実に塞栓物質の捕捉ができるようになる。なお、パラソル型に変形した際の直径は、２．５〜３ｍｍ程度であるのが良い。
【００２５】
バスケットフィルタ５を構成するワイヤ５１は、ニッケルチタンワイヤ、チタンワイヤ、プラチナまたは金から構成されるワイヤとニッケルチタン合金の複合素材のワイヤ、金メッキを施したニッケルワイヤ、またはチタン合金のワイヤ等からなり、編まれた後にこれを熱処理して熱硬化性を持たせたものを用いる。また、ワイヤ５１の直径は０．０２〜０．２ｍｍ程度であるのが望ましい。
【００２６】
バスケットフィルタ５の近位端側には、切除コイル７が配置されている。切除コイル７は、弾性または形状記憶性を有する複数のワイヤ７１から構成される。このワイヤ７１は、自由な状態では弾性または形状記憶性により図１に示すような螺旋形状を保持する。この複数のワイヤ７１は、３〜５本用いるのが好適である（ここでは３本のワイヤ７１Ａ、７１Ｂ、７１Ｃを用いる例を示している）。ワイヤ７１の螺旋の直径は２．５〜３ｍｍ程度であるのが良い。各ワイヤ７１の両端は、連結部７２、７３によりシャフト１に固定されている。そして、連結部７２、７３の間にはシャフト１が介在しないよう、この間はシャフト１が途切れた状態となっている。このため、連結部７２、７３はシャフト１の軸方向に互いに自由に位置を変えることができる。よって切除コイル７は、各連結部７２、７３がシャフト１の軸方向に離間することにより、線状に細く伸長することが可能である。
【００２７】
切除コイル７を構成するワイヤ７１は、ニッケルチタンワイヤ、チタンワイヤ、プラチナまたは金から構成されるワイヤとニッケルチタン合金の複合素材のワイヤ、金メッキを施したニッケルワイヤ、またはチタン合金のワイヤ等からなる。このワイヤ７１は、さらに熱処理を加えて熱硬化性を持たせても良い。また、ワイヤ７１の直径は０．０２〜０．１ｍｍ程度であるのが望ましい。
【００２８】
以下、上記した本実施形態の塞栓物質切除捕捉装置を使用する際の態様について、図２〜４を用いて説明する。
【００２９】
まず、本装置を使用する前段階として、病変部２０の血管２１にガイドワイヤを導入する。そしてこのガイドワイヤを通して病変部２０の血管２１までマイクロカテーテル４１を挿入し、ガイドワイヤは取り去る。
【００３０】
次いで、図３（ａ）に示すように、病変部２０の血管２１に挿入したマイクロカテーテル４１内に塞栓物質切除捕捉装置１００を通し、病変部（狭窄部）の末梢側まで移動させる。このとき、マイクロカテーテル４１内で、バスケットフィルタ５の結束部５２、５３は各々離間しており、バスケットフィルタ５は線状に収縮している。同様に、切除コイル７の連結部７２、７３も各々離間して、切除コイル７も線状に伸長している。このため、塞栓物質切除捕捉装置１００はマイクロカテーテル４１内を移動することができる。
【００３１】
次に、図３（ｂ）に示すように、病変部（狭窄部）の抹消側でマイクロカテーテル４１の先端から塞栓物質切除捕捉装置１００を突出させる。マイクロカテーテル４１からバスケットフィルタ５が離脱すると、バスケットフィルタ５はその弾性もしくは形状記憶性により自動的に拡張して、パラソル型に変形し血管壁に密着する。
【００３２】
次に、図４（ａ）に示すように、マイクロカテーテル４１の先端から切除コイル７を取り出した後に、マイクロカテーテル４１は基端側へ後退させる。マイクロカテーテル４１から切除コイル７が離脱すると、切除コイル７はその弾性もしくは形状記憶性により自動的に収縮して、この図に示すような本来のコイル形状に戻る。
【００３３】
次いで、図４（ｂ）に示すように、塞栓物質切除捕捉装置１００をゆっくりと基端方向へと移動させ、切除コイル７で塞栓物質２２を破壊、切除の後捕捉する。切除コイル７で切除する際に取り逃した塞栓物質の遊離片２３は、切除コイル７の後方に位置するバスケットフィルタ５により捕捉される。
【００３４】
処置の終了後は、シャフト１を固定した状態でマイクロカテーテル４１を押し出して再びマイクロカテーテル４１内に塞栓物質切除捕捉装置１００を収納し、マイクロカテーテル４１を抜去する。
【００３５】
なお、上記の塞栓物質切除捕捉装置１００は、その表面を薬剤によりコーティングされていても良い。例えば、血液凝固を防ぐ目的で抗凝固薬（例えばヘパリン）によるコーティングを施しても良い。また、親水性コーティングを行えば、血液に触れると潤滑性を発揮するようになる。そのため、血管内への挿入操作が容易になる。
【００３６】
〔第２の実施形態〕
本実施形態では、第１の実施形態の複数本のワイヤからなる切除コイルに代えて、一本のワイヤから構成される切除コイルを用いる例について説明する。図５は、本考案の第２の実施形態に係る塞栓物質切除捕捉装置の全体概略図である。また、図６は、その塞栓物質切除捕捉装置を使用する際の態様を示す模式図である。なお、第１の実施形態と同一の部分については、同一の符号を付して詳細な説明は省略する。
【００３７】
本実施形態の塞栓物質切除捕捉装置２００では、切除コイル１７０は弾性または形状記憶性を有するワイヤ１７１から構成されている。このワイヤ１７１は、自由な状態では、弾性または形状記憶性により図５に示すような螺旋形状を保持する。この切除コイル１７０の螺旋（巻き）の数は２から５であるのが好適である。また、ワイヤ１７１の螺旋の直径は２．５〜３ｍｍ程度であるのが良い。
【００３８】
ワイヤ１７１の両端は、連結部１７２、１７３によりシャフト１に固定されている。そして、連結部１７２、１７３の間にはシャフト１が介在しないよう、この間はシャフト１が途切れた状態となっている。そして、連結部１７２、１７３の間にはシャフト１に代わって、可撓性ワイヤ１７４が配置されている。この可撓性ワイヤ１７４は、シャフト１の基端を操作した際の回転トルクを基端側から先端側へ伝達するための部材である。この可撓性ワイヤ１７４は、切除コイル１７０の変形に合わせてよく撓む性質を有している。
【００３９】
上記のように構成したため、連結部１７２、１７３はシャフト１の軸方向に互いに自由に位置を変えることができる。よって切除コイル１７０は、各連結部１７２、１７３がシャフト１の軸方向に離間することにより、線状に細く伸長することが可能である。従って、切除コイル１７０は、マイクロカテーテル４１内に導入された際には、図６（ａ）に示すようにシャフト１に沿って線状に細く伸長される。また、マイクロカテーテル４１から排出されると、図６（ｂ）に示すように弾性または形状記憶性により自動的に拡張して螺旋形に変形する。そして、この拡張した切除コイル１７０で塞栓物質２２を破壊、切除の後捕捉する。
【００４０】
切除コイル１７０を構成するワイヤ１７１は、ニッケルチタンワイヤ、チタンワイヤ、プラチナまたは金から構成されるワイヤとニッケルチタン合金の複合素材のワイヤ、金メッキを施したニッケルワイヤ、またはチタン合金のワイヤ等からなる。このワイヤ１７１は、さらに熱処理を加えて熱硬化性を持たせても良い。また、ワイヤ１７１の直径は０．０２〜０．１ｍｍ程度であるのが望ましい。
【００４１】
上記の塞栓物質切除捕捉装置２００は、第１の実施形態と同様に、その表面を薬剤によりコーティングされていても良い。例えば、血液凝固を防ぐ目的で抗凝固薬（例えばヘパリン）によるコーティングを施しても良い。また、親水性コーティングを行えば、血液に触れると潤滑性を発揮するようになる。そのため、血管内への挿入操作が容易になる。
【００４２】
〔第３の実施形態〕
本実施形態では、第１の実施形態のパラソル型のバスケットフィルタに代えて、パラシュート型のバスケットフィルタを用いる例について説明する。図７は、本考案の第３の実施形態に係る塞栓物質切除捕捉装置の全体概略図である。また、図８は、その塞栓物質切除捕捉装置を使用する際の態様を示す模式図である。なお、第１の実施形態と同一の部分については、同一の符号を付して詳細な説明は省略する。
【００４３】
本実施形態の塞栓物質切除捕捉装置３００では、バスケットフィルタ１５０が弾性または形状記憶性を有する複数の金属ワイヤ１５１を編み込んだメッシュから構成されている。その形状は図７に示すように略楕円体だが、メッシュ部分はその楕円体の半分程度であり、この半楕円体のメッシュ部分を支持ワイヤ１５５が支持するパラシュートのような形状を有している。このパラシュートの傘体に当たるメッシュ部分で、血流を確保しながら塞栓物質の遊離片２３等を捕捉することができる。
【００４４】
支持ワイヤ１５５の近位端側は、基端側結束部１５３により結束されてシャフト１に固定されている。また、支持ワイヤ１５５の遠位端側は、先端側結束部１５２により、メッシュを構成するワイヤ１５１とともに結束され、シャフト１に固定されている。そしてこれらの結束部１５２、１５３の間にはシャフト１が介在しないよう、この間はシャフト１が途切れた状態となっている。そして、結束部１５２、１５３の間にはシャフト１に代わって、可撓性ワイヤ１５４が配置されている。この可撓性ワイヤ１５４は、シャフト１の基端を操作した際の回転トルクを基端側から先端側へ伝達するための部材である。この可撓性ワイヤ１５４は、バスケットフィルタ１５０の変形に合わせてよく撓む性質を有している。
【００４５】
このように構成したため、結束部１５２、１５３はシャフト１の軸方向に互いに自由に位置を変えることができる。そして、バスケットフィルタ１５０は、各結束部１５２、１５３がシャフト１の軸方向において離間することにより、線状に細く収縮することが可能となる。よってバスケットフィルタ１５０は、マイクロカテーテル４１内に導入された際には、図８（ａ）に示すように各結束部１５２、１５３がシャフト１の軸方向において離間することにより、線状に細く収縮することが可能である。また、マイクロカテーテル４１から取り出すと、図８（ｂ）に示すように弾性または形状記憶性により各結束部１５２、１５３がシャフト１の軸方向において接近する。そして自動的に半径方向に拡張してパラシュート型に変形し、血管壁に密着する。パラシュート型に変形した際の直径は２．５〜３ｍｍ程度であるのが望ましい。
【００４６】
バスケットフィルタ１５０のメッシュを構成するワイヤ１５１は、ニッケルチタンワイヤ、チタンワイヤ、プラチナまたは金から構成されるワイヤとニッケルチタン合金の複合素材のワイヤ、金メッキを施したニッケルワイヤ、またはチタン合金のワイヤ等からなり、編まれた後にこれを熱処理して熱硬化性を持たせたものを用いる。また、ワイヤ１５１の直径は０．０２〜０．２ｍｍ程度であるのが望ましい。
【００４７】
なお、上記の塞栓物質切除捕捉装置３００は、第１、第２の実施形態と同様に、その表面を薬剤によりコーティングされていても良い。例えば、血液凝固を防ぐ目的で抗凝固薬（例えばヘパリン）によるコーティングを施しても良い。また、親水性コーティングを行えば、血液に触れると潤滑性を発揮するようになる。そのため、血管内への挿入操作が容易になる。
【００４８】
なお、ここまでは主に脳梗塞治療における脳動脈や頸動脈での塞栓物質の切除及び捕捉を対象に説明してきたが、本考案の用途はこれに限らず、例えば心筋梗塞における冠動脈での塞栓物質の切除及び捕捉や、胆管における胆石の採取等、体内の種々の管腔における塞栓物質の除去に利用することができる。
【００４９】
上記のように構成したため、本考案の塞栓物質切除捕捉装置によれば、バルーン等により血流を遮断することなく、血流を確保しながら処置を行えるため、患者への影響を最低限に抑えることができる。
【００５０】
また、切除コイルとフィルタを二段構えで配置する構成としたため、塞栓物質を効率的に除去できる。特に、切除コイルの後方に配置したフィルタにより、切除コイルが取り逃した塞栓物質の遊離片をも確実に捕捉することができる。
【００５１】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００５２】
本考案は、生体の管腔における血栓等の塞栓物質を切除し捕捉するための塞栓物質切除捕捉装置に関し、産業上の利用可能性を有する。
【図面の簡単な説明】
【００５３】
【図１】本考案の第１の実施形態に係る塞栓物質切除捕捉装置の全体概略図である。
【図２】本考案の第１の実施形態に係る塞栓物質切除捕捉装置を脳動脈に用いる際の概略を示す模式図である。
【図３】本考案の第１の実施形態に係る塞栓物質切除捕捉装置を使用する際の態様を示す模式図（その１）である。
【図４】本考案の第１の実施形態に係る塞栓物質切除捕捉装置を使用する際の態様を示す模式図（その２）である。
【図５】本考案の第２の実施形態に係る塞栓物質切除捕捉装置の全体概略図である。
【図６】本考案の第２の実施形態に係る塞栓物質切除捕捉装置を使用する際の態様を示す模式図である。
【図７】本考案の第３の実施形態に係る塞栓物質切除捕捉装置の全体概略図である。
【図８】本考案の第３の実施形態に係る塞栓物質切除捕捉装置を使用する際の態様を示す模式図である。
【符号の説明】
【００５４】
１    シャフト
３    案内部
５、１５０    バスケットフィルタ
７、１７０    切除コイル
２０    病変部
２１    血管
２２    塞栓物質
２３    遊離片
４１    マイクロカテーテル
５１、１５１、７１、１７１    ワイヤ
５２、１５２    先端側結束部
５３、１５３    基端側結束部
５４、１５４、１７４    可撓性ワイヤ
７２、１７２    先端側連結部
７３、１７３    基端側連結部
１００、２００、３００    塞栓物質切除捕捉装置
１５５    支持ワイヤ
【図１】
0003147362.tif 000003
【図２】
0003147362.tif 000004
【図３】
0003147362.tif 000005
【図４】
0003147362.tif 000006
【図５】
0003147362.tif 000007
【図６】
0003147362.tif 000008
【図７】
0003147362.tif 000009
【図８】
0003147362.tif 000010